(57)【要約】【課題】  操作者が、計測したか否かを直感的、特に視覚的に確認することができ、計測に関する誤認を防止することが可能な超音波診断装置等を提供する。【解決手段】  超音波診断における複数の計測機能うちのいずれかを選択するための選択手段と、前記選択手段によって選択された前記計測機能に対応付けられた複数の計測項目を選択するための複数の第１のスイッチを、第１の形態にて表示する表示手段と、前記表示手段を介して選択された前記計測項目に対応する計測を実行する計測手段と、前記計測手段によって計測が実行された計測項目に対応する前記第１のスイッチについては、その表示形態を、前記第１の形態とは異なる第２の形態に変化させる表示制御手段と、を具備することを特徴とする超音波診断装置である。【選択図】      図１
2011087993.tif 000002
【特許請求の範囲】
【請求項１】
超音波診断における複数の計測機能うちのいずれかを選択するための選択手段と、
前記選択手段によって選択された前記計測機能に対応付けられた複数の計測項目を選択するための複数の第１のスイッチを、第１の形態にて表示する表示手段と、
前記表示手段を介して選択された前記計測項目に対応する計測を実行する計測手段と、
前記計測手段によって計測が実行された計測項目に対応する前記第１のスイッチについては、その表示形態を、前記第１の形態とは異なる第２の形態に変化させる表示制御手段と、
を具備することを特徴とする超音波診断装置。
【請求項２】
前記表示制御手段は、前記計測手段によって計測が実行された計測項目に対応する前記第１のスイッチの表示形態を第２の形態に変化させる一方で、
前記計測手段による計測が実行されていない計測項目に対応する前記第１のスイッチの表示形態を、第１の形態で維持すること、
を特徴とする請求項１記載の超音波診断装置。
【請求項３】
前記計測手段による計測が終了したことを検出する検出手段を更に備え、
前記表示制御手段は、前記検出手段が前記計測の終了を検出したことに基づいて、前記第１のスイッチの表示形態を第２の形態に変化させること、
を特徴とする請求項１又は２に記載の超音波診断装置。
【請求項４】
前記表示手段は、
前記複数の計測機能のうちのいずれかを選択するための前記選択手段を複数の第２のスイッチとして、前記第１の表示形態にて表示し、
選択された前記計測機能に対応する前記第２のスイッチについては、その表示形態を第２の形態に変化させること、
を特徴とする請求項１乃至３のいずれか１項に記載の超音波診断装置。
【請求項５】
前記第２の形態は、前記第１の形態に対して形状、色、大きさのうち少なくとも１つが異なる形態であることを特徴とする請求項１乃至４のいずれか１項に記載の超音波診断装置。
【請求項６】
前記第２の形態は、前記第１の形態に対して印を付したものであることを特徴とする請求項１乃至５のいずれか１項に記載の超音波診断装置。
【請求項７】
前記表示制御手段は、リセットを指示する所定の入力がなされた場合には、前記第１のスイッチのいずれかの表示形態を、前記第２の表示形態から前記第１の形態に切り替えること、
を特徴とする請求項１乃至６のいずれか１項記載の超音波診断装置。
【請求項８】
患者に関する情報を入力するための入力手段をさらに具備し、
前記表示制御手段は、前記入力手段によって新たな患者に関する情報が入力された場合には、全ての前記第１のスイッチの表示を前記第１の形態に切り替えるように前記表示手段を制御すること、
を特徴とする請求項１乃至７のいずれか１項記載の超音波診断装置。
【請求項９】
複数の撮影形態うちのいずれかを選択するための選択手段と、
前記選択手段によって選択された前記撮影形態に対応付けられた複数の撮影項目を選択するための複数の第１のスイッチを、第１の形態にて表示する表示手段と、
前記表示手段を介して選択された前記撮影項目に対応する計測を実行する計測手段と、
前記計測手段によって計測が実行された撮影項目に対応する前記第１のスイッチについては、その表示形態を、前記第１の形態とは異なる第２の形態に変化させる表示制御手段と、
を具備することを特徴とするＸ線ＣＴ装置。
【請求項１０】
コンピュータに、
複数の計測機能うちのいずれかを選択させるための選択機能と、
前記選択機能によって選択された前記計測機能に対応付けられた複数の計測項目を選択するための複数の第１のスイッチを、第１の形態にて表示させる表示機能と、
前記表示機能を介して選択された前記計測項目に対応する計測を実行させる計測機能と、
前記計測機能によって計測が実行された計測項目に対応する前記第１のスイッチについては、その表示形態を、前記第１の形態とは異なる第２の形態に変化させる表示制御機能と、
を実現させることを特徴とする表示制御プログラム。
【発明の詳細な説明】
【技術分野】
【０００１】
本発明は、計測忘れ防止機能を有する超音波診断装置及びＸ線ＣＴ装置及び表示制御プログラムに関する。
【背景技術】
【０００２】
通常、超音波診断装置の計測に関する指示入力は、ＴＣＳ（Ｔｏｕｃｈ  Ｃｏｍｍａｎｄ  Ｓｃｒｅｅｎ）を介して実行される。このＴＣＳには、計測される項目が一覧表示される。医師等の検査者は、所望の計測項目が表示された画面位置に接触することで、装置に対する指示入力を行うことができる。このＴＳＣは、画面への接触のみで所望の入力を完了できること、各計測項目が一覧表示されること等の使いやすさから、近年では、Ｘ線ＣＴ装置にも採用されている。
【０００３】
通常のＴＣＳでは、計測漏れを防止するために、計測項目はＴＣＳのモニタの固定エリアに表示され、計測値や計算値は計測ウィンドウにＴＣＳモニタの計測項目の位置に対応して表示される。検査者は、画面の計測値、計算値の表示の有無で計測実施を確認し、計測漏れを防止している。
【発明の概要】
【発明が解決しようとする課題】
【０００４】
しかしながら、上述した計測忘れ防止機能は、次の様な問題がある。
【０００５】
第１に、画像と計測マーカとの邪魔にならないように表示する必要があるので、計測ウィンドウは、モニタの限られたスペースに表示される。このため、計測項目、計測値の抜けを確認するためには、高い注意力を必要とし、確認作業にも時間を要する。
【０００６】
第２に、類似した名称が狭いスペースに表示される。従って、誤認されやすく、計測終了等操作者の思いこみによる計測忘れが発生する可能性がある。
【０００７】
本発明は、上記事情に鑑みてなされたもので、操作者が、計測したか否かを直感的、特に視覚的に確認することができ、計測に関する誤認を防止することが可能な超音波診断装置、Ｘ線ＣＴ装置及び表示制御プログラムを提供することを目的としている。
【課題を解決するための手段】
【０００８】
本発明は、上記目的を達成するため、次のような手段を講じている。
【０００９】
請求項１に記載の発明は、超音波診断における複数の計測機能うちのいずれかを選択するための選択手段と、前記選択手段によって選択された前記計測機能に対応付けられた複数の計測項目を選択するための複数の第１のスイッチを、第１の形態にて表示する表示手段と、前記表示手段を介して選択された前記計測項目に対応する計測を実行する計測手段と、前記計測手段によって計測が実行された計測項目に対応する前記第１のスイッチについては、その表示形態を、前記第１の形態とは異なる第２の形態に変化させる表示制御手段と、を具備することを特徴とする超音波診断装置である。
【００１０】
請求項９に記載の発明は、複数の撮影形態うちのいずれかを選択するための選択手段と、前記選択手段によって選択された前記撮影形態に対応付けられた複数の撮影項目を選択するための複数の第１のスイッチを、第１の形態にて表示する表示手段と、前記表示手段を介して選択された前記撮影項目に対応する計測を実行する計測手段と、前記計測手段によって計測が実行された撮影項目に対応する前記第１のスイッチについては、その表示形態を、前記第１の形態とは異なる第２の形態に変化させる表示制御手段と、を具備することを特徴とするＸ線ＣＴ装置である。
【００１１】
請求項１０に記載の発明は、コンピュータに、複数の計測機能うちのいずれかを選択させるための選択機能と、前記選択機能によって選択された前記計測機能に対応付けられた複数の計測項目を選択するための複数の第１のスイッチを、第１の形態にて表示させる表示機能と、前記表示機能を介して選択された前記計測項目に対応する計測を実行させる計測機能と、前記計測機能によって計測が実行された計測項目に対応する前記第１のスイッチについては、その表示形態を、前記第１の形態とは異なる第２の形態に変化させる表示制御機能と、を実現させることを特徴とする表示制御プログラムである。
【発明の効果】
【００１２】
以上本発明によれば、操作者が、計測したか否かを直感的、特に視覚的に確認することができ、計測に関する誤認を防止することが可能な超音波診断装置、Ｘ線ＣＴ装置及び表示制御プログラムを実現することができる。
【図面の簡単な説明】
【００１３】
【図１】図１は、第１の実施形態に係る超音波診断装置１０のブロック構成図を示している。
【図２】図２は、計測誤認防止システムの概略構成を示した図である。
【図３】図３は、心機能に関する超音波診断において実施可能な各計測項目と、各計測項目を選択した場合に計測メニュー表示されるスイッチとを示した図である。
【図４】図４（ａ）は、健常若年者の僧帽弁口血流波形、図４（ｂ）は高血圧患者の僧帽弁口血流波形をそれぞれ示した図である。
【図５】図５は、心機能に関する超音波診断において、ＴＣＳ２７に表示される画面例を示した図である。
【図６】図６は、「ＭＩＴＲＡＬ」（僧帽弁機能計測）においてスイッチ「Ｅ」を選択した場合のＴＣＳ２７の画面例を示した図である。
【図７】図７は、「ＭＩＴＲＡＬ」（僧帽弁機能計測）においてＥ波計測が終了した場合のＴＣＳ２７の画面例を示した図である。
【図８】図８は、「ＭＩＴＲＡＬ」（僧帽弁機能計測）においてＥ波及びＡ波計測が終了した場合のＴＣＳ２７の画面例を示した図である。
【図９】図９は、「ＰＵＬＭＯ  ＶＥＩＮ」（肺静脈機能計測）を選択した場合にＴＣＳ２７に表示される画面例を示した図である。
【図１０】図１０（ａ）は、「ＰＵＬＭＯ  ＶＥＩＮ」（肺静脈機能計測）の「Ｓ１」計測が終了した場合のＴＣＳ２７の画面例を示した図である。図１０（ｂ）は、「ＰＵＬＭＯ  ＶＥＩＮ」（肺静脈機能計測）の「Ｓ１」計測、「Ｓ２」計測、「Ｄ」計測が終了した場合のＴＣＳ２７の画面例を示した図である。
【図１１】図１１は、再び「ＭＩＴＲＡＬ」（僧帽弁機能計測）のスイッチを選択した場合のＴＣＳ２７の画面例を示した図である。
【図１２】図１２（ａ）、（ｂ）は、第１の実施形態の変形例を説明するための図である。
【図１３】図１３は、本実施形態に係るＸ線ＣＴ装置４０の概略構成を示している。
【図１４】図１４は、本撮影形態誤認防止システムの概略構成を示した図である。
【図１５】図１５は、ＴＣＳ６０の初期状態における表示画面例を示している。
【図１６】図１６は、ＴＣＳ６０の撮影実行状態における表示画面例を示している。
【図１７】図１７は、ＴＣＳ６０の２ｍｍ／２ｍｍヘリカルスキャンによる撮影が終了した状態の表示画面例を示している。
【発明を実施するための形態】
【００１４】
以下、本発明の第１実施形態及び第２実施形態を図面に従って説明する。なお、以下の説明において、略同一の機能及び構成を有する構成要素については、同一符号を付し、重複説明は必要な場合にのみ行う。
【００１５】
（第１実施形態）
第１の実施形態では、本発明に係る技術的思想を超音波診断装置に適用する場合について説明する。
【００１６】
図１は、第１の実施形態に係る超音波診断装置１０のブロック構成図を示している。
【００１７】
まず、第１の実施形態に係る超音波診断装置のブロック構成を、図１を参照しながら説明する。
【００１８】
図１において、超音波画像診断装置１０は、超音波探触子１１、送受波回路（Ｔ／Ｒ）１２、信号処理部１５、ＤＳＣ（デジタルスキャンコンバータ）１７、モニタ１９、ホストシステム２１、ＦＤＤ（フロッピディスクドライブ）２３、ＨＤＤ（ハードディスクドライブ）２５、ＴＣＳ（Ｔｏｕｃｈ  Ｃｏｍｍａｎｄ  Ｓｃｒｅｅｎ）２７、入力装置２９を具備している。
【００１９】
超音波探触子１１は、被検体（患者）内に撮影用超音波を照射し、当該被検体からの反射波を受波するための探触子（プローブ）であり、圧電素子等で形成されている。
【００２０】
送受波回路（Ｔ／Ｒ）１２は、組織構造を表すＢモード、血流情報を表す場合に適したドップラモード等、任意の撮影モードに応じた手順で被検体の内部を超音波で走査するために、超音波探触子１１に接続されている。
【００２１】
また、送受波回路（Ｔ／Ｒ）１２は、走査により得られたエコーの信号をチャンネル毎に増幅し、Ａ／Ｄ変換する。Ａ／Ｄ変換後のエコー信号は、受信指向性を決定するのに必要な遅延時間を与えられ、加算されることで、受信指向性に応じた方向からの反射成分が強調される。送受信の総合的な超音波ビームは、この送信指向性と受信指向性とにより形成される。
【００２２】
Ｂモード等の画像データを発生する機能を有している。
【００２３】
信号処理部１５は、送受波回路（Ｔ／Ｒ）１２からのエコー信号に対し、対数増幅、包絡線検波処理などを施し、信号強度が輝度の明るさで表現されるデータを生成する。また、信号処理部１５は、エコー信号から速度情報を周波数解析し、解析結果をＤＳＣ回路１７に送る。
【００２４】
ＤＳＣ回路１７は、送受波回路（Ｔ／Ｒ）１２からの画像信号を画像メモリに書き込み、ＴＶスキャン変換してモニタ１９に送り出す。また、ＤＳＣ回路１７は、送受波回路１２からの画像データに対し、設定された観察条件（例えば、輝度やズーム等）に応じた画像処理を行う機能を有する。
【００２５】
モニタ１９は、ＣＲＴ等からなるモニタであり、入力したビデオ信号に基づいて被検体組織形状を表す断層像を表示する。
【００２６】
ホストシステム２１は、情報処理装置（計算機）としての機能を持ち、本超音波診断装置本体１０の動作を制御する制御手段である。また、ホストシステム２１では、後述する計測誤認防止システムが展開される。
【００２７】
ＨＤＤ（Ｈａｒｄ  Ｄｉｓｃ  Ｄｒｉｖｅ）２５は、オペレータのフリーズ操作等に従って、任意の超音波画像データを記憶する記憶装置である。また、ＨＤＤ２５は、ＨＤに記録されたＴＣＳ２７における計測項目の複数の表示パターン、各表示パターンに当てはめる計測項目の名称等のメッセージ、ＴＣＳ２７の表示に関するフォントデータ、ＴＣＳ２７に表示された計測項目と本超音波診断装置１０の具体的な動作制御とを対応付けるテーブル等を当該ＨＤから読み出し、主記憶装置に記憶する。
【００２８】
ＦＤＤ２３は、装着された補助記憶装置（フロッピディスク）に記録されたデータを読みとるドライバである。なお、上記ＨＤＤ２５に記憶されたデータの一部は、当該ＦＤＤ２３に記憶されている構成であってもよい。
【００２９】
ＴＣＳ２７は、オペレータが超音波診断において実行される計測項目を選択し実行指示するための接触パネルである。このＴＣＳ２７には、計測可能な計測項目に対応したスイッチが一覧表示される。オペレータは、所望の計測事項のスイッチに接触することで、当該計測の実行指示を入力することができる。また、ＴＣＳ２７は、後述する計測誤認防止システムによる制御に基づいて、所定の形態にて計測事項を表示する。
【００３０】
入力装置２９は、オペレータからの各種指示・命令・情報をとりこむための入力手段であり、例えばキーボード２９１、マウス２９２、トラックボール２９３等からなる。
【００３１】
次に、本発明の特徴の一つである計測誤認防止システムについて説明する。この計測誤認防止システムは、ＴＣＳ２７６の計測項目の表示形態を制御するシステムであり、ホストシステム２１において展開される。
【００３２】
図２は、計測誤認防止システムの概略構成を示した図である。同図に基づいて、本システムの概略構成を説明する。
【００３３】
計測誤認防止システムは、ホストシステム２１が備えるアプリケーションプログラム格納部２１０、共有メモリ２１３、ＣＰＵ２１４、Ｃ−ＲＡＭ２１５と、ＨＤ２５０内に格納されたフォントデータ格納部２５１と、ＨＤ２５０内或いはＦＤＤ２３０内に格納されたパターンテーブル格納部２５１、スイッチテーブル格納部２５２、メッセージテーブル格納部２５３と、から構成される。以下、各構成要素について説明する。
【００３４】
フォントデータ格納部２５１は、ＴＣＳ２７に表示される項目に関する各種言語（例えば、日本語、英語、ドイツ語等）毎のフォントデータを格納する。
【００３５】
パターンテーブル格納部２５１は、初期状態（各計測が実行されていない状態）に表示されるスイッチパターンテーブルを複数格納している。例えば、患者ＩＤ等の所定の情報を入力することで診断プロトコルが決定されると、当該プロトコルに応じたスイッチパターンテーブルがパターンテーブル格納部２５１から読み出され、当該テーブルに従ったスイッチパターンがＴＣＳ２７に表示される。
【００３６】
スイッチテーブル格納部２５２は、各スイッチパターンテーブルを構成する各スイッチが当該超音波診断装置のいずれの機能に対応するかを対応付けるテーブルを格納する。ＣＰＵ２１４は、当該テーブルを参照することで、選択されたスイッチが示す計測を実行する。
【００３７】
メッセージテーブル格納部２５３は、スイッチパターンテーブルを構成する各スイッチの名称データを格納する。
【００３８】
アプリケーションプログラム格納部２１０は、各種アプリケーションプログラムを格納する。本計測誤認防止システムは、当該格納部２１０中のパネル制御Ｉ／Ｆライブラリ２１１に格納されたパネル制御プログラムに基づいて実行される。
【００３９】
共有メモリ２１３は、本システムを駆動するために必要なプログラム、或いは使用される各種データを一時記憶し、随時ＣＰＵに転送する主記憶装置である。具体的には、アプリケーションプログラム格納部２１０から読み出されたパネル制御プログラム、ＨＤ或いはＦＤ内のパターンテーブル格納部２５１等から読み出された各種情報、或いは現在実行している診断における計測履歴等を一時的に記憶する。
【００４０】
ＣＰＵ２１４は、パネル制御プログラムを所定のタスク制御ブロックに従って実行することで、ＴＣＳ２７の表示に関する制御を行う。
【００４１】
ＲＡＭ２１５は、ＴＣＳ２７に表示するための表示データを一時記憶する記憶手段である。ＲＡＭ２１５の内容は計測の実行と共にＣＰＵ２１４によって随時書き換えられる。書き換えられた内容は、ＴＣＳ２７に表示される。
【００４２】
次に、上記のように構成した計測誤認防止システムによって実現される、超音波診断における計測項目表示について説明する。
【００４３】
図３は、心機能に関する超音波診断において実施可能な各計測項目と、各計測項目を選択した場合に計測メニュー表示されるスイッチと、を示した図である。本実施形態では、個々の計測内容の詳細は省略するものとし、ＭＩＴＲＡＬ（僧帽弁機能計測）においてＥ波及びＡ波計測（図３中、[Ｅ]、[Ａ]を選択した計測）を実行する例について説明する。
【００４４】
ここで、Ｅ波とは、心室拡張初期においてドプラ法で観察される流入波形である。一方、Ａ波とは、心房収縮期においてドプラ法で観察される流入波形である。各波形の速度、パターンから、血流速度、時間情報（例えば、持続時間、加速時間、減速時間、等容性拡張時間等）、血流加速度、血流減速度等を求めることで、種々の心室拡張能を評価することが可能である。
【００４５】
図４（ａ）は、健常若年者の僧帽弁口血流波形、図４（ｂ）は高血圧患者の僧帽弁口血流波形をそれそれ示している。各患者のＡ波、Ｅ波を見てみると健常若年者では図４（ａ）に示すようにＥ波はＡ波よりも高く、一方、高血圧患者では逆転してＡ波がＥ波よりも高くなっていることがわかる。この高血圧患者のＥ波の低下より左室弛緩が遅延していること、Ａ波の増高より代償的収縮増大していることを認識することができる。
【００４６】
次に、Ｅ波及びＡ波計測において実行される、計測誤認を防止するためのＴＣＳ２７の表示について説明する。
【００４７】
図５は、心機能に関する超音波診断において、ＴＣＳ２７に最初に表示される画面例を示している。同図は、超音波診断に関する計測が現段階では何ら実行されていないことを反映して、全てのスイッチが同一の形状にて表示されている。この様な表示状態を以下「初期状態」と称する。
【００４８】
医師或いは検査技師等の検査者は、まずＴＣＳ２７に表示された「ＭＩＴＲＡＬ」（僧帽弁機能計測）のスイッチを押す。この動作に応答してＣＰＵ２１４は、当該「ＭＩＴＲＡＬ」スイッチを反転表示する。この反転表示により、検査者は現在実行中の計測が「ＭＩＴＲＡＬ」であることを容易に知ることができる。また図５に示すように、当該反転表示とともに、画面左半分には「ＭＩＴＲＡＬ」の計測メニューが表示される。
【００４９】
続いて検査者は、ＴＣＳ２７に表示された「Ｅ」スイッチに接触する。この動作に応答してＣＰＵ２１４は、当該「Ｅ」スイッチを反転表示させ、Ｅ波計測を開始する。なお、「Ｅ」スイッチの反転表示は、当該Ｅ波の計測動作中は継続して実行される。
【００５０】
Ｅ波計測が終了すると、ＣＰＵ２１４は、当該Ｅ波計測終了の事実を共有メモリ２１３に「現行患者の計測履歴」として書き込む。また、ＣＰＵ２１４は、ＲＡＭ２１上の「Ｅ」スイッチに関する情報を書き換え、その表示形態を例えば図７に示す様な計測終了を示す表示形態に変化させる。同様にして、Ａ波の計測を行い、当該Ａ波の計測が終了すると、ＣＰＵ２１４は、当該計測の終了に伴って「Ａ」スイッチを図８に示す表示形態に変化させる。
【００５１】
この計測終了に伴う表示形態の変化は、本超音波診断装置１０の特徴の一つである。検査者は、当該表示形態の変化によって、当該ＭＩＴＲＡＬ計測において、Ｅ波計測が既に完了していることを視覚的に迅速に判断することが可能である。例えば、仮に本実施形態と異なり、計測終了がスイッチの表示形態に反映されない場合（すなわち、従来の表示形態による場合）を想定する。この場合、当該Ａ波計測終了時点のＴＣＳ２７の画面表示は、例えば図５に示す様になる。従って、例えば検査者がＥ波計測を行ったか否かを忘れてしまった場合には、モニタ１９に表示された計測値を確認する或いは改めてレポートを出力して確認する必要があり、迅速に確認することができない。その結果、計測により多くの時間を要することとなりうる。
【００５２】
これに対し、本超音波診断装置１０によれば、図８に示す如く各スイッチは、計測終了を反映した形態にて表示されるので、各計測が終了している旨を容易かつ迅速に視覚的に把握することができる。その結果、計測が終了した事実を誤認せず、正確に把握することができる。
【００５３】
なお、本実施形態は、ＭＩＴＲＡＬとしてＥ波計測及びＡ波計測を実行する例を示しているから、Ａ波計測の終了に伴って、「ＭＩＴＲＡＬ」スイッチも、計測終了を反映した表示形態に変化する（例えば、図９参照）。
【００５４】
続いて、「ＰＵＬＭＯ  ＶＥＩＮ」（肺静脈機能計測）へと移行する場合には、ＴＣＳ２７の心機能メニュー画面に表示された「ＰＵＬＭＯ  ＶＥＩＮ」スイッチを選択する。このスイッチ選択に応答して、ＣＰＵ２１４は「ＰＵＬＭＯ  ＶＥＩＮ」を反転表示し、当該「ＰＵＬＭＯ  ＶＥＩＮ」計測に対応するスイッチパターン、各スイッチに表示される実施可能な計測項目名称等をＨＤ或いはＦＤの対応する各格納部から読み出す。
【００５５】
図９は、「ＰＵＬＭＯ  ＶＥＩＮ」（肺静脈機能計測）を選択した場合にＴＣＳ２７に表示される画面例を示している。同図に基づいて、肺静脈機能計測に関する計測「Ｓ１」、「Ｓ２」、「Ｄ」を実行する場合の表示制御・形態について説明する。
【００５６】
検査者によって、ＴＣＳ２７に表示された「Ｓ１」スイッチが選択されると、ＣＰＵ２１４は、当該「Ｓ１」スイッチを反転表示させ計測を開始する。なお、「Ｓ１」スイッチの反転表示は、当該Ｓ１計測動作中は継続して実行される。
【００５７】
Ｓ１計測が終了すると、ＣＰＵ２１４は、当該Ｓ１計測終了の事実を共有メモリ２１３に「現行患者の計測履歴」として書き込む。また、ＣＰＵ２１４は、ＲＡＭ２１上の「Ｓ１」スイッチに関する情報を書き換え、その表示形態を例えば図１０（ａ）に示す様な計測終了を示す表示形態に変化させる。同様にして、Ｓ２計測、Ｄ計測を順次選択・実行する。ＣＰＵ２１４は、各計測が終了する度に各スイッチを表示形態に変化させる。各計測が終了した段階では、ＴＣＳ２７は図１０（ｂ）に示す画面を表示することになる。
【００５８】
なお、図１０（ｂ）の画面状態から、「ＭＩＴＲＡＬ」のＥ波計測及びＡ波計測をきちんと取りこぼし無く実行したか否かを確認する場合には、心機能メニュー画面の「ＭＩＴＲＡＬ」スイッチを押すことで、図１１に示すように「ＭＩＴＲＡＬ」に対応した計測項目メニュー画面が表示される。同画面によれば、既に実施された計測項目「Ｅ」及び「Ａ」に対応するスイッチは、計測終了を反映した形態にて表示される。従って、検査者は、終了した検査項目を任意のタイミングで確認することができる。その結果、検査者の作業負担を軽減することができ、また、作業上の誤認を防止することができる。
【００５９】
これに対し、従来の超音波診断装置によれば、図１０（ｂ）の画面状態において心機能メニュー画面の「ＭＩＴＲＡＬ」スイッチを押した場合には、図５に示す初期状態と同様な画面が表示される。従って、従来の超音波診断装置ではＴＣＳ２７にて計測実行の事実を確認することができず、別途モニタ１９に表示された計測値にて確認しなければならない。
【００６０】
なお、計測終了を反映した表示形態は、計測終了が把握できる形態であればどのようなものであってもよい。例えば、スイッチが計測実行の前後で図７乃至図１０等に示した例と異なる形状に変化したり、色、大きさ等が換わる形態であってもよい。また、実行された計測項目名は、二重線で消される形態等も考えられる。
【００６１】
また、計測終了を反映した表示形態は、検査者がリセットを指示する所定の入力を行うまで維持される。従って、所定の超音波診断作業を継続している間は、当該入力を行わない限り、本診断における計測の経歴を容易に把握することが可能である。さらに、被検査者が交替するタイミングにおいて、計測終了を反映した表示形態が自動的にリセット表示される構成であってもよい。上記交替するタイミングの自動把握は、新たな患者（被検査者）のＩＤ等の入力等によって実現することができる。
【００６２】
次に、本実施形態の変形例を図面に基づいて説明する。
【００６３】
例えば、超音波診断においては、同一の計測を複数回繰り返して計測値の平均を求める場合がある。例えば、上述したＡ波、Ｅ波の各計測においては、数回の計測から求められた平均のスペクトラムが超音波診断に使用されることがある。次に述べる変形例は、この様に同一患者に対して同一の計測項目を複数回実行する場合に、特に実益がある。
【００６４】
図１２は、第１の実施形態の変形例を説明するための図である。すなわち、上述した内容では、図１２（ａ）に示す形態にて、計測実行前後を判別可能な表示を行った。これに対し、図１２（ｂ）に示す様に、実行した回数を判断可能な形態にて表示する構成であってもよい。例えば図１２（ｂ）では、同計測を一回実行する毎に印（同図では、チェック）が付けられる。検査者は、この印の数を数えることで、同計測の実行回数を把握することができる。
【００６５】
なお、本変形例に係る表示形態は上記例に限定する趣旨ではなく、実行回数が把握できる形態であればどのようなものであってもよい。例えば、上記例の他には、実行回数を表す数字や実行回数を表す象徴的な図形（例えば、「正」の字）にて表示する形態であってもよい。
【００６６】
また、計測実行の前後で変化したスイッチの形状等や計測回数が反映されたスイッチは、被検査者（患者）が入れ替わる毎に自動的にリセットされること、例えば、患者ＩＤの入力に応じて自動的にリセットされることが好ましい。当該構成は、ＫＢ２９１等からの患者ＩＤ入力に応答して、ＣＰＵ２１４が現行の計測履歴をリセットし且つＴＣＳ２７の表示を初期状態とすること、或いは本計測誤認防止システムを再起動すること等で実現することが可能である。当該構成により、検査者は、被検査者（患者）が入れ替わる毎に手動でＴＣＳ２７をリセット制御する必要が無く、作業性の向上が期待できる。
【００６７】
以上述べた構成によれば、検査者は、ＴＣＳ２７に表示された心機能スイッチ或いは各計測項目スイッチの表示形態によって、各計測が実行されたか否かの視覚的確認、或いは各計測の実行回数の視覚的確認を、容易且つ迅速に行うことができる。従って、既に実行された計測と未だ実行されていない計測とを誤認することなく、検査者は安心して計測作業を正確に実施することが可能である。
【００６８】
（第２実施形態）
第２の実施形態では、本発明に係る技術的思想をＸ線ＣＴ装置に適用する場合について説明する。
【００６９】
図１３は、本実施形態に係るＸ線ＣＴ装置４０の概略構成を示している。
【００７０】
図１３において、被検体の投影データの収集を行うガントリー７０（図１３点線枠内）と、収集された投影データに基づいて画像再構成処理や再構成画像表示などを行うシステム部（図１３中点線枠外）とから構成されている。
【００７１】
ガントリー７０は、Ｘ線管球４１、スリット４３、被検体載置用の寝台４５、被検体を挿入して診断を行うための図示しない診断用開口部、ガントリー駆動部４７、Ｘ線検出器システム４９を有している。
【００７２】
Ｘ線管球４１は、Ｘ線を発生する真空管であり、後述する高電圧発生装置５１で発生された高電圧により電子を加速させ、ターゲットに衝突させることでＸ線を発生させる。
【００７３】
スリット４３は、Ｘ線管球４１と被検体Ｐの間に設けられ、Ｘ線管球４１のＸ線焦点から曝射されたコーン状のＸ線ビームを整形し、所要の立体角のＸ線ビームを形成する。
【００７４】
寝台４５は、図示しない寝台駆動部の駆動により被検体の体軸方向に沿ってスライス可能になっている。
【００７５】
ガントリー駆動部４７は、図示しない診断用開口内に挿入された被検体の体軸方向に平行な中心軸のまわりに、Ｘ線管球４１とＸ線検出器システム４９とを一体で回転させる等の駆動制御を行う。
【００７６】
Ｘ線検出器システム４９は、スキャンにより検出した複数の投影データの電流信号をデータ処理装置５５に送り出す。
【００７７】
システム部は、高電圧発生装置５１、ホストシステム５３、データ処理装置５５、記憶装置５７、再構成装置５９、ＴＣＳ６０、表示装置６１、入力装置６３、補助記憶装置６５を有している。
【００７８】
高電圧発生装置５１は、Ｘ線管球４１に高電圧を供給する装置であり、高電圧変圧器、フィラメント加熱変換器、整流器、高電圧切替器等から成る。この高電圧発生装置５１によるＸ線管球４１への高電圧供給は、例えば、接触式のスリップリング機構により行われる。
【００７９】
ホストシステム５３は、ＣＰＵを有するコンピュータ回路を搭載しており、高電圧発生装置５１に接続されるとともに、バスＢを介してガントリー１２内の図示しない寝台駆動部、ガントリー駆動部４７、Ｘ線検出器システム４９にそれぞれ接続されている。また、ホストシステム５３、データ処理装置５５、記憶装置５７、再構成装置５９、ＴＣＳ６０、表示装置６１、入力装置６３、及び補助記憶装置６５は、それぞれバスＢを介して相互接続され、当該バスＢを通じて互いに高速に画像データや制御データ等の受け渡しを行なうことができるように構成されている。ホストシステム５３は、ＴＣＳ６０或いは入力装置６３を介して入力された撮影条件等を内部メモリに格納し、当該撮影条件等に基づいて各装置を制御し、Ｘ線断層画像の撮影を実行する。また、ホストシステム５３では、後述する撮影形態誤認防止システムが展開される。
【００８０】
データ処理装置５５は、例えばＣＰＵなどを有するコンピュータ回路を搭載しており、Ｘ線検出器システム４９の各データ収集素子により収集された３２スライス分の投影データを保持する。そして、データ処理装置５５は、上述したガントリー７０の回転による多方向から得られた同一スライスのすべての投影データを加算する処理や、その加算処理により得られた多方向データに対して必要に応じて補間処理、補正処理などを施すようになっている。
【００８１】
記憶装置５７は、データ処理装置５５におけるデータ処理に必要なデータ等を記憶する。また、記憶装置５７は、ＴＣＳ６０に表示される撮影形態項目の複数の表示パターン、各表示パターンに当てはめる撮影形態項目の名称等のメッセージ、ＴＣＳ６０の表示に関するフォントデータ、ＴＣＳ６０に表示された撮影形態項目と本Ｘ線ＣＴ装置４０の具体的な動作制御とを対応付けるテーブル等を記憶する。
【００８２】
再構成装置５９は、データ処理装置５５によりデータ処理されて得られた投影データを再構成処理して、所定数のスライス分の再構成画像データを生成する。
【００８３】
ＴＣＳ６０は、Ｘ線撮影において実行可能な撮影形態を選択し実行指示するための接触パネルである。このＴＣＳ２７には、実行可能な撮影形態項目に対応したスイッチが一覧表示される。オペレータは、所望の撮影形態事項のスイッチに接触することで、当該実行可能な撮影形態の実行指示を入力することができる。また、ＴＣＳ２７は、後述する撮影形態誤認防止システムによる制御に基づいて、所定の形態にて計測事項を表示する。
【００８４】
表示装置６１は再構成装置５９により生成された再構成画像データを表示する。
【００８５】
入力装置６３は、キーボードや各種スイッチ、マウス等を備え、オペレータを介してスライス厚やスライス数等の各種スキャン条件を入力可能な装置である。
【００８６】
補助記憶装置６５は、再構成装置５９により生成された再構成画像データを記憶可能な大容量の記憶領域を有する装置である。
【００８７】
次に、ホストシステム５３において展開される撮影形態誤認防止システムについて説明する。
【００８８】
図１４は、本撮影形態誤認防止システムの概略構成を示した図である。同図に基づいて、撮影形態誤認防止システムの概略構成について説明する。
【００８９】
撮影形態誤認防止システムは、ホストシステム５３が備えるアプリケーションプログラム格納部５３０、共有メモリ５３３、ＣＰＵ５３４、ＲＡＭ５３５と、記憶装置５７内に格納されたフォントデータ格納部５７４、パターンテーブル格納部５７１、スイッチテーブル格納部５７２、メッセージテーブル格納部５７３と、から構成される。以下、各構成要素について説明する。
【００９０】
フォントデータ格納部２５１は、ＴＣＳ６０に表示される項目に関する各種言語（例えば、日本語、英語、ドイツ語等）毎のフォントデータを格納する。
【００９１】
パターンテーブル格納部５７１は、初期状態（各撮影が実行されていない状態）に表示されるスイッチパターンテーブルを複数格納している。例えば、患者ＩＤ等の所定の情報を入力することで撮影プロトコルが決定されると、当該プロトコルに応じたスイッチパターンテーブルがパターンテーブル格納部５７１から読み出され、当該テーブルに従ったスイッチパターンがＴＣＳ６０に表示される。
【００９２】
スイッチテーブル格納部５７２は、各スイッチパターンテーブルを構成する各スイッチが当該Ｘ線ＣＴ装置のいずれの機能に対応するかを対応付けるテーブルを格納する。ＣＰＵ５３４は、当該テーブルを参照することで、選択されたスイッチが示す計測を実行する。
【００９３】
メッセージテーブル格納部５７３は、スイッチパターンテーブルを構成する各スイッチの名称データを格納する。
【００９４】
アプリケーションプログラム格納部５３０は、各種アプリケーションフログラムを格納する。本撮影形態誤認防止システムは、当該格納部５３０中のパネル制御Ｉ／Ｆライブラリ５３１に格納されたパネル制御プログラムに基づいて実行される。
【００９５】
共有メモリ５３３は、本システムを駆動するために必要なプログラム、或いは使用される各種データを一時記憶し、随時ＣＰＵ５３４に転送する主記憶装置である。具体的には、アプリケーションプログラム格納部５３０から読み出されたパネル制御プログラム、記憶装置５７内のパターンテーブル格納部５７１等から読み出された各種情報、或いは現在実行している診断における計測履歴等を一時的に記憶する。
【００９６】
ＣＰＵ５３４は、パネル制御プログラムを所定のタスク制御ブロックに従って実行することで、ＴＣＳ６０の表示に関する制御を行う。
【００９７】
ＲＡＭ５３５は、ＴＣＳ６０に表示するための表示データを一時記憶する記憶手段である。ＲＡＭ５３５の内容は撮影の実行と共にＣＰＵ５３４によって随時書き換えられる。書き換えられた内容は、ＴＣＳ６０に表示される。
【００９８】
次に、上記のように構成した撮影形態誤認防止システムによって実現される、Ｘ線ＣＴ装置における撮影形態項目表示について説明する。
【００９９】
図１５は、ＴＣＳ６０の初期状態における表示画面例を示している。同図に示すように、ＴＣＳ６０には、Ｘ線ＣＴ装置において実施可能な各種撮影が選択ボタンとして表示されている。
【０１００】
例えば、所定の患者に２ｍｍ／２ｍｍヘリカルスキャンによる撮影を実行する場合を考える。この場合医師或いは検査技師等の検査者は、まずＴＣＳ６０に表示された「ヘリカル２ｍｍ／２ｍｍ」のスイッチを押す。この動作に応答してＣＰＵ５３４は、当該「ヘリカル２ｍｍ／２ｍｍ」スイッチを図１６に示すように反転表示する。この反転表示により、検査者は現在実行中の撮影の形態が「ヘリカル２ｍｍ／２ｍｍ」であることを容易に知ることができる。
【０１０１】
２ｍｍ／２ｍｍヘリカルスキャンによる撮影が終了すると、ＣＰＵ５３４は、当該２ｍｍ／２ｍｍヘリカルスキャンによる撮影終了の事実を共有メモリ５３３に「現行患者の撮影履歴」として書き込む。また、ＣＰＵ５３４は、ＲＡＭ５３５上の「ヘリカル２ｍｍ／２ｍｍ」スイッチに関する情報を書き換え、その表示形態を例えば図１７に示す様な撮影終了を示す表示形態に変化させる。
【０１０２】
引き続き撮影を実行する場合には、同様の内容によって実行された撮影形態に対応するスイッチに関する表示が制御される。
【０１０３】
以上述べた構成によれば、検査者等は、ＴＣＳ６０に表示された撮影形態項目スイッチの表示形態によって、各撮影が実行されたか否かの視覚的確認、或いは各撮影の実行回数の視覚的確認を、容易且つ迅速に行うことができる。従って、既に実行された撮影と未だ実行されていない撮影とを誤認することなく、検査者は安心して撮影作業を正確に実施することが可能である。
【０１０４】
以上、本発明を実施形態に基づき説明したが、本発明の思想の範疇において、当業者であれば、各種の変更例及び修正例に想到し得るものであり、それら変形例及び修正例についても本発明の範囲に属するものと了解される。例えば以下に示すように、その要旨を変更しない範囲で種々変形可能である。
【０１０５】
上記実施形態においては、本発明の技術的思想を超音波診断装置及びＸ線ＣＴ装置に適用した場合について説明した。しかし、本発明の技術的思想はこれに限定されず、オペレータがＴＣＳによって指示を入力する構成を有するものであれば、全て適用可能である。
【０１０６】
なお、本願発明は上記実施形態に限定されるものではなく、実施段階ではその趣旨を逸脱しない範囲で種々に変形することが可能である。また、各実施形態は可能な限り適宜組み合わせて実施してもよく、その場合組合わせた効果が得られる。さらに、上記実施形態には種々の段階の発明が含まれており、開示される複数の構成要件における適宜な組合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果の少なくとも１つが得られる場合には、この構成要件が削除された構成が発明として抽出され得る。
【符号の説明】
【０１０７】
１０…超音波診断装置、１９…モニタ、２１…ホストシステム、２３…ＦＤＤ、２５…ＨＤＤ、２７…ＴＣＳ、９…入力装置、４０…Ｘ線ＣＴ装置、２１０…アプリケーションプログラム格納部、２１１…Ｆライブラリ、１３…共有メモリ、２１４…タスク制御部、２１５…ＲＡＭ、２７６…ＴＣＳ
【図１】
2011087993.tif 000003
【図２】
2011087993.tif 000004
【図３】
2011087993.tif 000005
【図４】
2011087993.tif 000006
【図５】
2011087993.tif 000007
【図６】
2011087993.tif 000008
【図７】
2011087993.tif 000009
【図８】
2011087993.tif 000010
【図９】
2011087993.tif 000011
【図１０】
2011087993.tif 000012
【図１１】
2011087993.tif 000013
【図１２】
2011087993.tif 000014
【図１３】
2011087993.tif 000015
【図１４】
2011087993.tif 000016
【図１５】
2011087993.tif 000017
【図１６】
2011087993.tif 000018
【図１７】
2011087993.tif 000019